【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
自動酸素運搬システムであって、
患者の血流中の酸素の量を測定するパルスオキシメータであるセンサと、
空圧サブシステムであって、
酸素入口と、空気入口と、混合ガス出口と、
前記酸素入口、前記空気入口、および、前記混合ガス出口に結合され、酸素と空気とを混合し、運搬される酸素濃度を有する混合ガスを形成し、患者に前記混合ガスを運搬する、ガス運搬機構を含む空圧サブシステムと、
前記センサおよび前記空圧サブシステムに結合される制御サブシステムであって、
前記患者の血流中の所望の酸素濃度を受け取る入力装置と、
測定データおよび前記測定データに関連するステータス情報であって、動脈拍動の拡張期と収縮期との間における、酸素を運ぶ赤血球の光吸収のわずかな変動を示す潅流指数と、光吸収の変動に基づく信号品質指数とを含むステータス情報を前記センサから受け取るセンサインターフェースと、
前記空圧サブシステムに命令を送り、前記空圧サブシステムからデータを受け取る空圧サブシステムインターフェースと、
前記入力装置、前記センサインターフェース、および、前記空圧サブシステムインターフェースに結合され、前記所望の酸素濃度、前記測定データ、および、前記ステータス情報に基づいて、前記運搬される酸素濃度を制御するプロセッサとを含む、制御サブシステムと、
を備える、自動酸素運搬システム。
【請求項２】
前記空気入口は、呼吸可能な混合ガスを受け取る、請求項１に記載の自動酸素運搬システム。
【請求項３】
前記ガス運搬機構は、前記混合ガスの流量および運搬圧力を制御する、請求項１に記載の自動酸素運搬システム。
【請求項４】
前記運搬される酸素濃度は、吸気酸素濃度ＦｉＯ２として表される、請求項１に記載の自動酸素運搬システム。
【請求項５】
運搬される前記ＦｉＯ２は、ＦｉＯ２閾値以上である、請求項４に記載の自動酸素運搬システム。
【請求項６】
前記センサデータは、末梢の酸素飽和度の測定値、および、ＳｐＯ２を含む、請求項４に記載の自動酸素運搬システム。
【請求項７】
前記プロセッサは、前記運搬される酸素濃度を、前記ＳｐＯ２、前記潅流指数、および、前記信号品質指数に基づいて制御する、請求項６に記載の自動酸素運搬システム。
【請求項８】
前記プロセッサは、測定された前記ＳｐＯ２が低ＳｐＯ２閾値未満である場合に前記ＦｉＯ２を増加させ、測定された前記ＳｐＯ２が高ＳｐＯ２閾値を上回る場合に運搬される前記ＦｉＯ２を減少させる、請求項７に記載の自動酸素運搬システム。
【請求項９】
前記プロセッサは、前記潅流指数が潅流閾値未満である場合に、前記ＦｉＯ２を所定の値に設定する、請求項７に記載の自動酸素運搬システム。
【請求項１０】
前記プロセッサは、前記信号品質指数が信号品質閾値未満である場合、前記ＦｉＯ２を所定の値に設定する、請求項７に記載の自動酸素運搬システム。
【請求項１１】
前記プロセッサは、前記信号品質指数が信号品質指数未満である場合に、少なくとも１つの音声警報および映像警報を開始する、請求項１０に記載の自動酸素運搬システム。
【請求項１２】
前記センサインターフェースに結合され、前記センサインターフェースに追加のセンサデータを提供する経皮ガス張力センサをさらに備え、前記追加のセンサデータは、血管の酸素の分圧測定値ＰｔｃＯ２および動脈の二酸化炭素圧力測定値ＰｔｃＣＯ２を含む、請求項４に記載の自動酸素運搬システム。
【請求項１３】
前記センサは、侵襲的なカテーテル血液分析器であり、前記センサデータは、血中溶解酸素の測定値ＰＯ２、血中溶解二酸化炭素の測定値ＰＣＯ２、血液の酸性度ｐＨの測定値、および血液温度の測定値を含む、請求項４に記載の自動酸素運搬システム。
【請求項１４】
自動酸素運搬システムであって、
患者の血流中の末梢の酸素飽和度ＳｐＯ２を測定するパルスオキシメータセンサと、
空圧サブシステムであって、
酸素入口と、空気入口と、混合ガス出口と、
前記酸素入口、前記空気入口、および、前記混合ガス出口に結合され、酸素と空気とを混合して吸気酸素濃度ＦｉＯ２を有する混合ガスを形成し、前記患者に前記混合ガスを運搬する、ガス運搬機構と、を含む空圧サブシステムと、
前記センサおよび前記空圧サブシステムに結合された制御サブシステムであって、
前記患者の血流中の所望の酸素濃度を受け取る入力装置と、
ＳｐＯ２測定値、および、前記ＳｐＯ２測定値に関連し、潅流指数および信号品質指数を含むステータス情報を、前記センサから受け取るセンサインターフェースと、
前記空圧サブシステムに命令を送り、前記空圧サブシステムからデータを受け取る空圧サブシステムインターフェースと、
前記入力装置、前記センサインターフェース、および、前記空圧サブシステムに結合され、前記ＦｉＯ２を前記所望の酸素濃度、前記ＳｐＯ２、前記潅流指数および前記信号品質指数に基づいて制御し、前記潅流指数の値が潅流閾値未満である場合または前記信号品質指数が信号品質閾値未満である場合に、前記ＦｉＯ２を所定の値に設定するプロセッサとを含む、制御サブシステムと、
を備える、自動酸素運搬システム。
【請求項１５】
前記酸素入口は、呼吸可能な混合ガスを受け取る、請求項１４に記載の自動酸素運搬システム。
【請求項１６】
前記ガス運搬機構は、流量および混合ガスの運搬圧力を制御する、請求項１４に記載の自動酸素運搬システム。
【請求項１７】
前記ＦｉＯ２はＦｉＯ２閾値以上である、請求項１４に記載の自動酸素運搬システム。
【請求項１８】
前記プロセッサは、測定された前記ＳｐＯ２が低ＳｐＯ２の閾値未満である場合にＦｉＯ２を増加させ、測定された前記ＳｐＯ２が高ＳｐＯ２の閾値を上回る場合に前記ＦｉＯ２を減少させる、請求項１４に記載の自動酸素運搬システム。
【請求項１９】
前記潅流指数は、動脈拍動の拡張期と収縮期との間における、酸素を運ぶ赤血球の光吸収のわずかな変動である、請求項１４に記載の自動酸素運搬システム。
【請求項２０】
前記信号品質指数は、前記ＳｐＯ２の信頼できる測定基準を提供する、請求項１４に記載の自動酸素運搬システム。
【請求項２１】
前記信号品質指数は、酸素を運ぶ赤血球の光吸収の変動に基づく、請求項２０に記載の自動酸素運搬システム。
【請求項２２】
酸素を患者に自動的に運搬するシステムであって、
患者の血流中の酸素量を測定するパルスオキシメータであるセンサと、
空圧サブシステムであって、
酸素入口と、空気入口と、混合ガス出口と、
酸素と空気とを混合して運搬される酸素濃度を有する混合ガスを形成する手段と、
前記混合ガスを患者に運搬する手段とを含む空圧サブシステムと、
前記酸素量を測定する手段および前記空圧サブシステムに結合された制御サブシステムであって、
患者の血流中の所望の酸素濃度を受け取る入力装置と、
測定データおよび前記酸素量を測定する手段の前記測定データに関連するステータス情報であって、動脈拍動の拡張期と収縮期との間における、酸素を運ぶ赤血球の光吸収のわずかな変動を示す潅流指数と、光吸収の変動に基づく信号品質指数とを含むステータス情報を、前記センサから受け取る第１のインターフェースと、
前記空圧サブシステムに命令を送り、前記空圧サブシステムからデータを受け取る第２のインターフェースと、
前記第１のインターフェースおよび前記第２のインターフェースに結合され、前記所望の酸素濃度、前記測定データ、および、前記ステータス情報に基づいて、前記運搬される酸素濃度を制御するプロセッサとを含む、制御サブシステムと、
を備える、酸素を患者に自動的に運搬するシステム。
【請求項２３】
自動酸素運搬システムであって、
患者の血流中の酸素の量を測定するパルスオキシメータであるセンサと、
空圧サブシステムであって、
酸素入口と、空気入口と、混合ガス出口と、
前記酸素入口、前記空気入口、および、前記混合ガス出口に結合され、酸素と空気とを混合し、運搬される酸素濃度を有する混合ガスを形成し、患者に前記混合ガスを運搬する、ガス運搬機構とを含む空圧サブシステムと、
前記センサおよび前記空圧サブシステムに結合される制御サブシステムであって、
前記患者の血流中の所望の酸素濃度を受け取る入力装置と、
末梢の酸素飽和度の測定値ＳｐＯ２を含む測定データ、および、前記測定データに関連するステータス情報であって、動脈拍動の拡張期と収縮期との間における、酸素を運ぶ赤血球の光吸収のわずかな変動を示す潅流指数と、前記患者に取り付けられているときの心臓周期、電気的干渉、および、光学干渉に関連する、あるいは、関連しない、光吸収の変動から選択される少なくとも１つの指数に基づく信号品質指数とを含むステータス情報を前記センサから受け取るセンサインターフェースと、
前記空圧サブシステムに命令を送り、前記空圧サブシステムからデータを受け取る空圧サブシステムインターフェースと、
前記入力装置、前記センサインターフェース、および、前記空圧サブシステムインターフェースに結合され、前記所望の酸素濃度、前記測定データ、および、ＳｐＯ２の信頼できる測定基準を前記プロセッサに提供する前記信号品質指数を含む前記ステータス情報に基づいて、前記運搬される酸素濃度を制御するプロセッサとを含む、制御サブシステムと、
を備える、自動酸素運搬システム。
【請求項２４】
自動酸素運搬システムであって、
患者の血流中の末梢の酸素飽和度ＳｐＯ２を測定するパルスオキシメータセンサと、
空圧サブシステムであって、
酸素入口と、空気入口と、混合ガス出口と、
前記酸素入口、前記空気入口、および、前記混合ガス出口に結合され、酸素と空気とを混合して吸気酸素濃度ＦｉＯ２を有する混合ガスを形成し、前記患者に前記混合ガスを運搬する、ガス運搬機構と、を含む空圧サブシステムと、
前記センサおよび前記空圧サブシステムに結合された制御サブシステムであって、
前記患者の血流中の所望の酸素濃度を受け取る入力装置と、
ＳｐＯ２測定値、および、前記ＳｐＯ２測定値に関連するステータス情報であって、動脈拍動の拡張期と収縮期との間における、酸素を運ぶ赤血球の光吸収のわずかな変動を示す潅流指数と、前記患者に取り付けられているときの心臓周期に関連する、あるいは、関連しない光吸収の変動に基づいており、ＳｐＯ２の信頼できる測定基準を前記プロセッサに提供する信号品質指数とを含むステータス情報を前記センサから受け取るセンサインターフェースと、
前記空圧サブシステムに命令を送り、前記空圧サブシステムからデータを受け取る空圧サブシステムインターフェースと、
前記入力装置、前記センサインターフェース、および、前記空圧サブシステムに結合され、前記ＦｉＯ２を前記所望の酸素濃度、前記ＳｐＯ２、前記潅流指数および前記信号品質指数に基づいて制御し、前記潅流指数の値が潅流閾値未満である場合または前記信号品質指数が信号品質閾値未満である場合に、前記ＦｉＯ２を所定の値に設定するプロセッサとを含む、制御サブシステムと、
を備える、自動酸素運搬システム。
【請求項２５】
患者に酸素を自動的に運搬するシステムであって、
患者の血流中の酸素の量を測定するパルスオキシメータであるセンサと、
空圧サブシステムであって、
酸素入口と、空気入口と、混合ガス出口と、
酸素と空気とを混合して運搬される酸素濃度を有する混合ガスを形成する手段と、
前記混合ガスを患者に運搬する手段と、を含む空圧サブシステムと、
前記酸素の量を測定する前記センサおよび前記空圧サブシステムに結合される制御サブシステムであって、
前記患者の血流中の所望の酸素濃度を受け取る入力装置と、
末梢の酸素飽和度の測定値ＳｐＯ２を含む測定データ、および、前記測定データに関連するステータス情報であって、動脈拍動の拡張期と収縮期との間における、酸素を運ぶ赤血球の光吸収のわずかな変動を示す潅流指数と、前記患者に取り付けられているときの心臓周期に関連する、あるいは、関連しない光吸収の変動に基づく信号品質指数とを含むステータス情報を前記酸素の量を測定する前記センサから受け取る第１のインターフェースと、
前記空圧サブシステムに命令を送り、前記空圧サブシステムからデータを受け取る第２のインターフェースと、
前記第１のインターフェース、および、前記第２のインターフェースに結合され、前記所望の酸素濃度、前記測定データ、および、ＳｐＯ２の信頼できる測定基準を前記プロセッサに提供する前記信号品質指数を含む前記ステータス情報に基づいて、前記運搬される酸素濃度を制御するプロセッサとを含む、制御サブシステムと、
を備える、自動酸素運搬システム。
【請求項２６】
自動酸素運搬システムであって、
患者の血流中の酸素の量を測定するパルスオキシメータであるセンサと、
空圧サブシステムであって、
酸素入口と、空気入口と、混合ガス出口と、
前記酸素入口、前記空気入口、および、前記混合ガス出口に結合され、酸素と空気とを混合して運搬される酸素濃度を有する混合ガスを形成し、前記患者に前記混合ガスを運搬する、ガス運搬機構と、を含む空圧サブシステムと、
前記センサおよび前記空圧サブシステムに結合された制御サブシステムであって、
前記患者の血流中の所望の酸素濃度を受け取る入力装置と、
末梢の酸素飽和度の測定値ＳｐＯ２を含む測定データ、および、前記測定データに関連するステータス情報であって、前記患者に取り付けられているときの心臓周期、電気的干渉、および、光学干渉に関連する、あるいは、関連しない、光吸収の変動から選択される少なくとも１つの指数に基づく信号品質指数を含むステータス情報を前記センサから受け取るセンサインターフェースと、
前記空圧サブシステムに命令を送り、前記空圧サブシステムからデータを受け取る空圧サブシステムインターフェースと、
前記入力装置、前記センサインターフェース、および、前記空圧サブシステムインターフェースに結合され、前記所望の酸素濃度、前記測定データ、および、ＳｐＯ２の信頼できる測定基準を前記プロセッサに提供する前記信号品質指数を含む前記ステータス情報に基づいて、前記運搬される酸素濃度を制御するプロセッサとを含む、制御サブシステムと、
を備える、自動酸素運搬システム。
【請求項２７】
自動酸素運搬システムであって、
患者の血流中の酸素の量を測定するパルスオキシメータであるセンサと、
空圧サブシステムであって、
酸素入口と、空気入口と、混合ガス出口と、
前記酸素入口、前記空気入口、および、前記混合ガス出口に結合され、酸素と空気とを混合し、運搬される酸素濃度を有する混合ガスを形成し、患者に前記混合ガスを運搬する、ガス運搬機構を含む空圧サブシステムと、
前記センサおよび前記空圧サブシステムに結合される制御サブシステムであって、
前記患者の血流中の所望の酸素濃度を受け取る入力装置と、
末梢の酸素飽和度の測定値ＳｐＯ２を含む測定データ、および、前記測定データに関連するステータス情報であって、動脈拍動の拡張期と収縮期との間における、酸素を運ぶ赤血球の光吸収のわずかな変動を示す潅流指数を含むステータス情報を前記センサから受け取るセンサインターフェースと、
前記空圧サブシステムに命令を送り、前記空圧サブシステムからデータを受け取る空圧サブシステムインターフェースと、
前記入力装置、前記センサインターフェース、および、前記空圧サブシステムインターフェースに結合され、前記所望の酸素濃度、前記測定データ、および、前記ステータス情報に基づいて、前記運搬される酸素濃度を制御するプロセッサとを含む、制御サブシステムと、
を備える、自動酸素運搬システム。
【手続補正２】
【補正対象書類名】明細書
【補正対象項目名】０００６
【補正方法】変更
【補正の内容】
【０００６】
一実施形態では、自動的に酸素を運搬するシステムは、患者の血流中の酸素量を測定するセンサと、空圧サブシステムと、制御サブシステムとを含む。空圧サブシステムは、酸素入口、空気入口、混合ガス出口、および、ガス運搬機構を含み、ガス運搬機構は酸素と空気とを混合し、運搬される酸素濃度の混合ガスを形成し、混合ガスを患者に運搬する。制御サブシステムは、患者の血流中で所望の酸素濃度を受け取るための入力装置と、測定データおよび測定データに関連するステータス情報をセンサから受け取るためのセンサインターフェースと、命令を送り、また空圧サブシステムからデータを受け取る空圧サブシステムインターフェースと、所望の酸素濃度、測定データ、およびステータス情報に基づいて運搬される酸素濃度を制御するプロセッサとを含む。また、自動的に酸素を運搬するシステムの前記空気入口は、呼吸可能な混合ガスを受け取る。また、自動的に酸素を運搬するシステムの前記ガス運搬機構は、前記混合ガスの流量および運搬圧力を制御する。また、自動的に酸素を運搬するシステムの運搬される酸素濃度は、吸気酸素濃度ＦｉＯ２として表される。また、自動的に酸素を運搬するシステムで運搬される前記ＦｉＯ２は、ＦｉＯ２閾値以上である。また、自動的に酸素を運搬するシステムの前記センサは、パルスオキシメータであり、前記センサデータは、末梢の酸素飽和度の測定値ＳｐＯ２、潅流指数、および信号品質指数を含む。また、自動的に酸素を運搬するシステムの前記プロセッサは、前記運搬される酸素濃度を、前記ＳｐＯ２、前記潅流指数、および、前記信号品質指数に基づいて制御する。また、自動的に酸素を運搬するシステムのプロセッサは、測定された前記ＳｐＯ２が低ＳｐＯ２閾値未満である場合に前記ＦｉＯ２を増加させ、測定された前記ＳｐＯ２が高ＳｐＯ２閾値を上回る場合に運搬される前記ＦｉＯ２を減少させる。また、自動的に酸素を運搬するシステムの前記プロセッサは、前記潅流指数が潅流閾値未満である場合に、前記ＦｉＯ２を所定の値に設定する。また、自動的に酸素を運搬するシステムの前記プロセッサは、前記信号品質指数が信号品質閾値未満である場合、前記ＦｉＯ２を所定の値に設定する。また、自動的に酸素を運搬するシステムの前記プロセッサは、前記信号品質指数が信号品質指数未満である場合に、少なくとも１つの音声警報および映像警報を開始する。また、自動的に酸素を運搬するシステムの前記センサは、経皮ガス張力センサであり、前記センサデータは、血管の酸素の分圧測定値ＰｔｃＯ２および動脈の二酸化炭素圧力測定値ＰｔｃＣＯ２を含む。また、自動的に酸素を運搬するシステムの前記センサは、侵襲的なカテーテル血液分析器であり、前記センサデータは、血中溶解酸素の測定値ＰＯ２、血中溶解二酸化炭素の測定値ＰＣＯ２、血液の酸性度ｐＨの測定値、および血液温度の測定値を含む。また、自動的に酸素を運搬するシステムは、患者の血流中の末梢の酸素飽和度ＳｐＯ２を測定するパルスオキシメータセンサと、空圧サブシステムであって、酸素入口と、空気入口と、混合ガス出口と、前記酸素入口、前記空気入口、および、前記混合ガス出口に結合され、酸素と空気とを混合して吸気酸素濃度ＦｉＯ２を有する混合ガスを形成し、前記患者に前記混合ガスを運搬する、ガス運搬機構と、を含む空圧サブシステムと、前記センサおよび前記空圧サブシステムに結合された制御サブシステムであって、前記患者の血流中の所望の酸素濃度を受け取る入力装置と、ＳｐＯ２測定値、および、前記ＳｐＯ２測定値に関連し、潅流指数および信号品質指数を含むステータス情報を、前記センサから受け取るセンサインターフェースと、前記空圧サブシステムに命令を送り、前記空圧サブシステムからデータを受け取る空圧サブシステムインターフェースと、前記入力装置、前記センサインターフェース、および、前記空圧サブシステムに結合され、前記ＦｉＯ２を前記所望の酸素濃度、前記ＳｐＯ２、前記潅流指数および前記信号品質指数に基づいて制御し、前記潅流指数の値が潅流閾値未満である場合または前記信号品質指数が信号品質閾値未満である場合に、前記ＦｉＯ２を所定の値に設定するプロセッサとを含む、制御サブシステムとを備える。また、自動的に酸素を運搬するシステムの前記酸素入口は、呼吸可能な混合ガスを受け取る。また、自動的に酸素を運搬するシステムの前記ガス運搬機構は、流量および混合ガスの運搬圧力を制御する。また、自動的に酸素を運搬するシステムの前記ＦｉＯ２はＦｉＯ２閾値以上である。また、自動的に酸素を運搬するシステムの前記プロセッサは、測定された前記ＳｐＯ２が低ＳｐＯ２の閾値未満である場合にＦｉＯ２を増加させ、測定された前記ＳｐＯ２が高ＳｐＯ２の閾値を上回る場合に前記ＦｉＯ２を減少させる。また、自動的に酸素を運搬するシステムの前記潅流指数は、動脈拍動の拡張期と収縮期との間における、酸素を運ぶ赤血球の光吸収のわずかな変動である。また、自動的に酸素を運搬するシステムの前記信号品質指数は、前記ＳｐＯ２の信頼できる測定基準を提供する。また、自動的に酸素を運搬するシステムの前記信号品質指数は、酸素を運ぶ赤血球の光吸収の変動に基づく。また、酸素を患者に自動的に運搬するシステムにおいて、患者の血流中の酸素量を測定する手段と、空圧サブシステムであって、酸素入口と、空気入口と、混合ガス出口と、酸素と空気とを混合し、運搬される酸素濃度を有する混合ガスを形成する手段とを含む空圧サブシステムと、前記酸素量を測定する手段および前記空圧サブシステムに結合された制御サブシステムであって、患者の血流中の所望の酸素濃度を受け取る入力装置と、測定データおよび前記酸素量を測定する手段の前記測定データに関連するステータス情報を、前記酸素量を測定する手段から受け取る第１のインターフェースと、前記空圧サブシステムに命令を送り、前記空圧サブシステムからデータを受け取る第２のインターフェースと、前記第１のインターフェースおよび前記第２のインターフェースに結合され、前記所望の酸素濃度、前記測定データ、および、前記ステータスデータに基づいて、前記運搬される酸素濃度を制御するプロセッサとを含む、制御サブシステムとを備える。